(57)【要約】【課題】  大掛かりな作業をすること無く、背もたれ部のロック解除操作が行えるとともに、誤ってロック解除操作ができにくいようにした椅子式マッサージ機を提供する。【解決手段】  座席部３に対して、起立位置の背もたれ部７を前倒可能な椅子式マッサージ機１において、座席部３と背もたれ部７とを支持する椅子本体２に、背もたれ部３を起立位置にロックするロック機構１７，１８を設けるとともに、ロック機構１７，１８のロック解除操作部材１８に対向する背もたれ部７に、狭小形状の開口部２７ａを形成して、この開口部から差し込まれた操作部材２８で、前記ロック解除操作部材１８がロック解除操作可能となるように構成した。【選択図】  図７
2006223722.tif 000002
【特許請求の範囲】
【請求項１】
座席部に対して、起立位置の背もたれ部を前倒可能な椅子式マッサージ機において、
前記座席部と背もたれ部とを支持する椅子本体に、前記背もたれ部を起立位置にロックするロック機構を設けるとともに、前記ロック機構のロック解除操作部材に対向する背もたれ部に、狭小形状の開口部を形成して、この開口部から差し込まれた操作部材で、前記ロック解除操作部材がロック解除操作可能となるように構成したことを特徴とする椅子式マッサージ機。
【請求項２】
前記開口部を覆う保護カバーを着脱可能に設けたことを特徴とする請求項１記載の椅子式マッサージ機。
【発明の詳細な説明】
【技術分野】
【０００１】
本発明は、椅子式マッサージ機に関する。
【背景技術】
【０００２】
従来、座席部に対して、起立位置の背もたれ部を前倒可能な椅子式マッサージ機がある（特許文献１）。
【０００３】
このように、座席部に対して背もたれ部を前倒させることで、背もたれ部をフラットに折り畳めるので、椅子式マッサージ機をコンパクトに搬送したり、収納したりすることができる。
【０００４】
前記椅子式マッサージ機は、エアーマッサージ機であって、誤って背もたれ部を前倒させて折り畳むことを防止するために、エアー供給装置を椅子本体から取り外さないと、背もたれ部を起立位置にロックするロック機構のロック解除操作部材をロック解除操作できないようになっている。
【特許文献１】特許第３５５４４６８号公報
【発明の開示】
【発明が解決しようとする課題】
【０００５】
しかしながら、エアー供給装置を椅子本体から取り外さなければならないことから、その取外し作業が大掛かりになるという問題があった。
【０００６】
本発明は、前記問題を解消するためになされたもので、大掛かりな作業をすること無く、背もたれ部のロック解除操作が行えるとともに、誤ってロック解除操作ができにくいようにした椅子式マッサージ機を提供することを目的とするものである。
【課題を解決するための手段】
【０００７】
前記課題を解決するために、本発明の椅子式マッサージ機は、座席部に対して、起立位置の背もたれ部を前倒可能な椅子式マッサージ機において、前記座席部と背もたれ部とを支持する椅子本体に、前記背もたれ部を起立位置にロックするロック機構を設けるとともに、前記ロック機構のロック解除操作部材に対向する背もたれ部に、狭小形状の開口部を形成して、この開口部から差し込まれた操作部材で、前記ロック解除操作部材がロック解除操作可能となるように構成したことを特徴とするものである。
【０００８】
安全性をより向上させるために、前記開口部を覆う保護カバーを着脱可能に設けることができる。
【発明の効果】
【０００９】
本発明によれば、背もたれ部に形成した狭小形状の開口部（例えば、人の指が差し込めない形状の開口部）から操作部材（例えば、ドライバーのような工具）を差し込むと、背もたれ部のロック解除操作ができるようになるので、大掛かりな作業をすること無くロック解除操作が行えるようになるとともに、操作部材を開口部から差し込まないと、背もたれ部のロック解除操作ができないので、誤ったロック解除操作ができにくくなって安全性が向上するようになる。また、背もたれ部に開口部を形成するだけであるから、部品点数が増加しないので安価になるとともに、開口部が狭小であるのでデザイン性も損なわれない。
【発明を実施するための最良の形態】
【００１０】
以下、本発明を実施するための最良の形態について、図面を参照しながら詳細に説明する。
【００１１】
図１（ａ）に示すように、椅子式マッサージ機１は、椅子本体（フレーム）２の上部に座席部３が取付けられ、椅子本体２の左右両側部に肘掛け部４が取付けられ、座席部３の前部にオットマン５がヒンジ軸５ａで取付けられている。このオットマン５は、シリンダー等の駆動機構（不図示）により、実線の下動位置と二点鎖線ａで示した上動位置との間で上下位置を調整できるようになっている。
【００１２】
前記座席部３の後部には背もたれ部７が配置され、この背もたれ部７にはマッサージ機構８が内蔵されて、このマッサージ機構８の施療子８ａが背もたれ部７の背もたれ面から前方に突出している。前記施療子８ａは、マッサージ機構８によって、上下、左右、前後方向等に移動されて、着座者の背中などをマッサージするようになる。
【００１３】
図１（ｂ）〜図４は、前記椅子本体２の骨格を形成するフレーム構造であり、図１（ｂ）は背もたれ部７が起立位置の側面図、図２は図１（ｂ）の斜視図、図３（ａ）は背もたれ部７が前倒位置の側面図、図３（ｂ）は図３（ａ）の斜視図、図４は分解斜視図である。
【００１４】
前記椅子本体２の脚部９に座席フレーム１０が固定され、この座面フレーム１０内の両側部に、上下方向に延在するサイドフレーム１１がそれぞれ配置されて、このサイドフレーム１１の下部は、左右方向に延在する同期シャフト１２（図４参照）で一体的に連結されている。
【００１５】
前記サイドフレーム１１から前方に突出するブラケット部１１ａは、座席フレーム１０の両側部に固定されたブラケット部１０ａにリクライニング軸１３で前後回動可能に支持されるとともに、サイドフレーム１１の上部に、背もたれフレーム１４の両側部が前倒軸１５で前後回動可能に支持されている。
【００１６】
図５および図６に詳細に示すように、前記背もたれフレーム１４の下部１４ａの幅方向の中央位置にはロックピン１７がブラケット部１７ａに固定され、これに対応する前記同期シャフト１２のブラケット部１２ａには、起立位置（図２参照）にある背もたれフレーム１４のロックピン１７を係止する凹部１８ａを有するロックレバー（ロック解除操作部材）１８が支軸１９で上下回動可能に支持されている。
【００１７】
このロックレバー１８は、前記支軸１９に巻装したワイヤースプリング２０で上回動方向に付勢されて、ほぼ水平状態となるロック位置〔図６（ａ）の位置〕以上に上回動しないように、前記ブラケット部１２ａで当て止められるようになっている。
【００１８】
前記ロックレバー１８には、後方に延在された手操作部１８ｂが形成されて、この手操作部１８ｂの上縁は、背もたれ部７の後傾操作時に、前記ロックピン１７で自動的に押し下げられやすくするために傾斜させている。このロックピン１７やロックレバー１８等でロック機構を構成する。
【００１９】
前記背もたれフレーム１４は、図６（ｄ）の起立位置では、ロックピン１７がロックレバー１８の凹部１８ａで係止されていて、図６（ｃ）のように、ロックレバー１８の手操作部１８ｂをワイヤースプリング２０の付勢力に抗して押し下げると（矢印ｂ参照）、凹部１８ａがロックピン１７から抜け外れるようになる。
【００２０】
この状態で、背もたれフレーム１４を前方に押すと、背もたれフレーム１４は、前記前倒軸１５を中心に前傾されて、図６（ｂ）のように、背もたれフレーム１４の下部１４ａが後動してロックピン１７がロックレバー１８の凹部１８ａから後方に逃げるので、手操作部１８ｂの押し下げをやめても、ワイヤースプリング２０の付勢力で上回動するロックレバー１８の上縁がロックピン１７に当接されたままとなる。
【００２１】
そして、背もたれフレーム１４をさらに押して前傾させると、図６（ａ）のように、ロックレバー１８の上縁がロックピン１７に当接されたままで背もたれフレーム１４の下部１４ａが後動して、ロックピン１７がロックレバー１８の上縁の先端部から外れるので、ロックレバー１８は、ワイヤースプリング２０の付勢力でロック位置に復帰するようになる。
【００２２】
その後さらに、背もたれフレーム１４を押して前傾させると、図３（ａ）のように、背もたれフレーム１４が完全に前倒するようになる。
【００２３】
逆に、図３（ａ）の前傾位置から背もたれフレーム１４を後方に押して後傾させると、図６（ａ）のように背もたれフレーム１４の下部１４ａが前動してロックピン１７がロックレバー１８の上縁の先端部に近づき、図６（ｂ）から（ｃ）のように、さらに背もたれフレーム１４を後傾させると、ロックピン１７がロックレバー１８の上縁に乗り上げて、ロックレバー１８をワイヤースプリング２０の付勢力に抗して下回動させるようになる。
【００２４】
そして、背もたれフレーム１４をさらに押して後傾させると、図６（ｄ）のように、背もたれフレーム１４が起立して、ロックピン１７がロックレバー１８の上縁から外れて凹部１８ａの上方に移動するので、ロックレバー１８は、ワイヤースプリング２０の付勢力でロック位置に復帰して、ロックピン１７がロックレバー１８の凹部１８ａで係止されるようになる。
【００２５】
図１（ｂ）〜図４に戻って、前記左右の脚部９の前側を連結する連結シャフト２２と前記同期シャフト１２との間には、電動モータ２３で駆動されるリクライニング機構２４が取付けられ、このリクライニング機構２４は、電動モータ２３の正逆転駆動で前後方向に伸縮動することにより、リクライニング軸１３を中心にして、背もたれフレーム１４をサイドフレーム１１とともに前後傾（リクライニング）させるようになる。
【００２６】
前記背もたれフレーム１４は、図７に示すように、前面および両側面は、柔軟なシートカバー（表皮）２６で覆われるとともに、後面が合成樹脂製の裏カバー２７で覆われて、前記背もたれ部７を構成している。
【００２７】
この背もたれ部７の裏カバー２７の下部には、前記ロックレバー１８の手操作部１８ｂに対向する位置に、狭小なスリット形状の開口部２７ａを形成している。換言すれば、開口部２７ａの真奥にロックレバー１８の手操作部１８ｂが位置することになる。
【００２８】
この開口部２７ａは、例えば、人の指が差し込めない幅（例えば７ｍｍ程度）に設定されているとともに、例えば、ドライバーのような工具（操作部材）２８を差し込める幅に設定されている。なお、開口部２７ａは、必ずしもスリット形状である必要は無く、丸穴形状であっても良い。
【００２９】
前記のように椅子式マッサージ機１を構成すれば、座席部３に対して背もたれ部７を前倒させて、背もたれ部７をフラットに折り畳んで、コンパクトに搬送したり、収納したりする場合には、ドライバーのような工具２８を背もたれ部７の裏カバー２７の開口部２７ａから差し込んで、ロックレバー１８の手操作部１８ｂをワイヤースプリング２０の付勢力に抗して押し下げると、凹部１８ａがロックピン１７から抜け外れるようになるので、その後に背もたれ部７を前方に押すことで、前述のようにして、背もたれ部７を前倒させることができるから、大掛かりな作業をすること無く、ロックレバー１８のロック解除操作が行えるようになる。
【００３０】
また、ドライバーのような工具２８を背もたれ部７の裏カバー２７の開口部２７ａから差し込まないと、背もたれ部７のロック解除操作ができないので、誤ったロック解除操作ができにくくなって安全性が向上するようになる。
【００３１】
さらに、背もたれ部７の裏カバー２７に開口部２７ａを形成するだけであるから、部品点数が増加しないので安価になるとともに、開口部２７ａが狭小であるのでデザイン性も損なわれない。
【００３２】
図８に示すように、前記開口部２７ａを外側から覆う保護カバー２９を裏カバー２７にねじ３０で固定するようにしても良い。この場合には、ねじ３０を外すという行為をした後に保護カバー２９を意識的に取り外さないと、開口部２７ａにドライバーのような工具２８を差し込めないので、安全性がより向上するようになる。
【００３３】
また、保護カバー２９をねじ３０で固定する以外に、保護カバー２９にフック（係止爪）を形成し、裏カバー２７にフック穴を形成して、保護カバー２９のフックを裏カバー２７にフック穴にワンタッチで差し込んで固定することもできる。この場合には、ドライバーのような工具２８を保護カバー２９と裏カバー２７との間に差し込み、工具２８をこじる等して保護カバー２９を取外すことができる。
【００３４】
さらに、保護カバー２９を固定するときの開口部２７ａは、人の指が差し込めない狭小なスリット形状である必要はなく、人の指が差し込める半円形状の開口部２７ａでも可能であり、保護カバー２９を取り外して、人の指をドライバーのような工具２８に代わる操作部材として差し込んで、ロックレバー１８のロック解除操作を行うことができる。
【図面の簡単な説明】
【００３５】
【図１】（ａ）は、本発明の実施形態に係る椅子式マッサージ機の側面図、（ｂ）は背もたれフレームが起立位置のフレーム構造の側面図である。
【図２】図１（ｂ）の斜視図である。
【図３】フレーム構造であり、（ａ）は背もたれフレームが前倒位置の側面図、（ｂ）は（ａ）の斜視図である、
【図４】フレーム構造の分解斜視図である。
【図５】フレーム構造であり、（ａ）は背もたれフレームが起立位置の背面側斜視図、（ｂ）は（ａ）の要部拡大図である。
【図６】（ａ）〜（ｄ）はロック機構のロック動作の側面図である。
【図７】裏カバーの開口部を示す椅子式マッサージ機の背面側斜視図、（ｂ）は（ａ）の要部拡大図である。
【図８】裏カバーの開口部の保護カバーを示す椅子式マッサージ機の背面側斜視図、（ｂ）は（ａ）の要部拡大図である。
【符号の説明】
【００３６】
１      椅子式マッサージ機
２      椅子本体
３      座席部
７      背もたれ部
１７    ロックピン（ロック機構）
１８    ロックレバー（ロック機構のロック解除操作部材）
２７    裏カバー
２７ａ  開口部
２８    ドライバーのような工具（操作部材）
２９    保護カバー
３０    ねじ
【図１】
2006223722.tif 000003
【図２】
2006223722.tif 000004
【図３】
2006223722.tif 000005
【図４】
2006223722.tif 000006
【図５】
2006223722.tif 000007
【図６】
2006223722.tif 000008
【図７】
2006223722.tif 000009
【図８】
2006223722.tif 000010